(57)【要約】【課題】地震等により機器収容用ラックが振動又は揺動しても該機器収容用ラックや遮蔽体の破損が防止できる電算機室用空調システムを提供する。【解決手段】通路４を挟んで両側に設置される機器収容用ラック３と、空気調和装置とを備え、空気調和装置から吹き出された冷却用空気が、機器収容用ラック３に収容された機器を冷却した後、機器収容用ラック３の上方の空間を流動して空気調和装置に再び吸引される電算機室用空調システムであって、通路４を挟んで両側に配された機器収容用ラック３同士の上面３ａ間に架け渡され通路４と機器収容用ラック３の上方の空間とを区画するとともに、機器収容用ラック３同士を相対移動可能に繋ぐ遮蔽体１１が配設されることを特徴とする。【選択図】図４
2010044741.tif 000002
【特許請求の範囲】
【請求項１】
床下に内部空間を有する通路を挟んで両側に設置され、前面から給気して上面又は背面から熱を帯びた空気を吹き出す機器収容用ラックと、空気調和装置とを備え、前記空気調和装置から吹き出された冷却用空気が、前記内部空間を流動して、前記通路に設けられた孔からさらに前記通路の床上に流動し、この冷却用空気が前記機器収容用ラックに収容された機器を冷却した後、前記機器収容用ラックの上方の空間を流動して前記空気調和装置に再び吸引される電算機室用空調システムであって、
前記通路を挟んで両側に配された前記機器収容用ラック同士の上面間に架け渡され前記通路と前記機器収容用ラックの上方の空間とを区画するとともに、前記機器収容用ラック同士を相対移動可能に繋ぐ遮蔽体が配設されることを特徴とする電算機室用空調システム。
【請求項２】
請求項１に記載の電算機室用空調システムであって、
前記遮蔽体は、前記通路を挟んだ一側の前記機器収容用ラックの上面に配設されるヒンジ部材と、前記ヒンジ部材に回動可能に支持されるとともに前記通路を挟んだ他側の前記機器収容用ラックの上面に当接可能とされる遮蔽材と、を備えることを特徴とする電算機室用空調システム。
【請求項３】
請求項２に記載の電算機室用空調システムであって、
前記遮蔽体は、前記通路を挟んだ他側の前記機器収容用ラックの上面に配設される支持部材を備え、
前記一側及び前記他側には各々複数の前記機器収容用ラックが前記通路に沿って配設され、
前記一側の複数の前記機器収容用ラックが前記通路に沿って延ばされた前記ヒンジ部材を介して接続され、
前記他側の複数の前記機器収容用ラックが前記通路に沿って延ばされた前記支持部材を介して接続されていることを特徴とする電算機室用空調システム。
【請求項４】
請求項１に記載の電算機室用空調システムであって、
前記遮蔽体は、前記通路を挟んだ一側の前記機器収容用ラックの上面に配設される第１支持部材と、前記通路を挟んだ他側の前記機器収容用ラックの上面に配設される第２支持部材と、前記第１、第２支持部材に架け渡される遮蔽材と、を備え、
前記遮蔽材の一側の端部が前記第１支持部材の上面に支持されるとともに該上面に設けられた軸部に係合され、前記遮蔽材の他側の端部が前記第２支持部材の上面に摺動可能に支持され、
前記遮蔽材が、前記軸部を中心に回動可能とされていることを特徴とする電算機室用空調システム。
【請求項５】
請求項２から４のいずれか一項に記載の電算機室用空調システムであって、
前記遮蔽材が、前記通路に沿って複数設けられることを特徴とする電算機室用空調システム。
【請求項６】
請求項１に記載の電算機室用空調システムであって、
前記遮蔽体は、前記通路を挟んだ一側の前記機器収容用ラックの上面に配設される第１ヒンジ部材と、前記通路を挟んだ他側の前記機器収容用ラックの上面に配設される第２ヒンジ部材と、前記第１、第２ヒンジ部材の間に配置される第３ヒンジ部材と、前記第１ヒンジ部材及び前記第３ヒンジ部材を繋ぐ第１遮蔽材と、前記第２ヒンジ部材及び前記第３ヒンジ部材を繋ぐ第２遮蔽材と、を備え、
前記第１遮蔽材が前記第１ヒンジ部材を中心に回動可能とされ、前記第２遮蔽材が前記第２ヒンジ部材を中心に回動可能とされ、前記第１遮蔽材と前記第２遮蔽材とが前記第３ヒンジ部材を中心に互いに回動可能とされていることを特徴とする電算機室用空調システム。
【請求項７】
請求項６に記載の電算機室用空調システムであって、
前記第１遮蔽材及び第２遮蔽材が複数設けられるとともに、前記通路に沿って配列されることを特徴とする電算機室用空調システム。
【請求項８】
請求項１から７のいずれか一項に記載の電算機室用空調システムであって、
前記通路の両端には、該通路を遮蔽する一対の両端遮蔽部が設けられ、
前記両端遮蔽部は、
前記通路の幅方向に延在するように前記遮蔽体の端部に配設される梁部と、
柔軟性を有し、前記梁部に取り付けられて前記通路の両端を開閉可能に遮蔽する出入口遮蔽部材と、を備えることを特徴とする電算機室用空調システム。
【請求項９】
請求項８に記載の電算機室用空調システムであって、
前記両端遮蔽部は、前記出入口遮蔽部材における前記幅方向の端縁部に対応して前記機器収容用ラックに配設される案内部材を備え、
前記案内部材は、前記出入口遮蔽部材の前記端縁部を収容可能とされていることを特徴とする電算機室用空調システム。
【発明の詳細な説明】
【技術分野】
【０００１】
本発明は、電算機室用空調システムに関する。
【背景技術】
【０００２】
従来、ある空間の空気の流れや温度を調整するための種々の空調システムが提案されている。
これら空調システムの中には、高集約化・高発熱化の傾向にあるＯＡ機器や通信装置等が設置される電算機室内において、機器周辺の空気の流れや温度を調整する電算機室用空調システムが知られている。
電算機室用空調システムとしては、所定空間（通路）を挟んで対向配置された複数の機器収容用ラックと、機器収容用ラックの側方であって、所定空間に対向配置された空気調和装置とを備えたものがある。
【０００３】
このような構成のもと、空気調和装置が、冷却用空気を下方に排出すると、その冷却用空気が所定空間に送られて、機器収容用ラックに吸い込まれる。そして、その冷却用空気は、機器収容用ラックに収容された機器を冷却することにより暖められた後、機器収容用ラックから吹き出される。そして、その暖められて吹き出された空気は、電算機室の上方空間を流動して、空気調和装置に吸い込まれて、再び冷却され排出される。
これにより、電算機室内の空気の流れや温度がコントロールされる。
【０００４】
ところが、暖められて機器収容用ラックから吹き出された空気の一部は、空気調和装置に送られることなく、上方空間からダイレクトに所定空間に還流されてしまう場合がある。その場合、所定空間に還流された空気は、暖められた状態のまま、再び機器収容用ラックに吸い込まれてしまうことにより、機器の冷却効率を低下させてしまう。
そこで、通路を挟んで対向する機器収容用ラック同士の上面に遮蔽板（遮蔽体）を架け渡すことにより、上方空間から所定空間への空気の流動を防止することが考えられる（例えば、特許文献１参照）。
【先行技術文献】
【特許文献】
【０００５】
【特許文献１】特許第３８３５６１５号公報
【発明の概要】
【発明が解決しようとする課題】
【０００６】
ところで、特許文献１のように遮蔽板を設置する場合には、遮蔽板が機器収容用ラックの上面から容易に脱落するようなことが無い様、遮蔽板をこれら機器収容用ラックにボルト等を用いて固定するとともに、機器収容用ラック同士を互いに相対移動不可に固定している。
【０００７】
しかしながら、このように遮蔽板を用いて機器収容用ラック同士を固定すると、例えば地震等によりこれら機器収容用ラックが振動又は揺動した際に、該機器収容用ラックや遮蔽板などに過大な負荷が掛かってしまうという問題がある。すなわち、これら機器収容用ラックが、通路側や該通路の反対側に向け傾動したり該通路に沿った方向に傾動したりして揺れ動くとともに、遮蔽板を介し互いに応力を及ぼし合って大きく変形し破損したり、該遮蔽板が変形し破損したりすることが考えられる。
【０００８】
本発明は、このような事情に鑑みてなされたものであって、遮蔽体を用いて機器収容用ラックに収容された機器を効率よく冷却するとともに、地震等により機器収容用ラックが振動又は揺動しても該機器収容用ラックや遮蔽体の破損が防止できる電算機室用空調システムを提供することを目的とする。
【課題を解決するための手段】
【０００９】
前記目的を達成するために、本発明は以下の手段を提案している。
すなわち本発明は、床下に内部空間を有する通路を挟んで両側に設置され、前面から給気して上面又は背面から熱を帯びた空気を吹き出す機器収容用ラックと、空気調和装置とを備え、前記空気調和装置から吹き出された冷却用空気が、前記内部空間を流動して、前記通路に設けられた孔からさらに前記通路の床上に流動し、この冷却用空気が前記機器収容用ラックに収容された機器を冷却した後、前記機器収容用ラックの上方の空間を流動して前記空気調和装置に再び吸引される電算機室用空調システムであって、前記通路を挟んで両側に配された前記機器収容用ラック同士の上面間に架け渡され前記通路と前記機器収容用ラックの上方の空間とを区画するとともに、前記機器収容用ラック同士を相対移動可能に繋ぐ遮蔽体が配設されることを特徴とする。
【００１０】
本発明に係る電算機室用空調システムによれば、通路を挟んで両側に配される機器収容用ラック同士の上面間には遮蔽体が架け渡されており、該遮蔽体により通路と機器収容用ラックの上方の空間とが区画されているので、機器収容用ラックから吹き出された空気が、通路に還流されて機器収容用ラックに吸い込まれることが防止されるとともに空気調和装置に確実に送られて、機器の冷却効率が充分に確保されている。また、遮蔽体が通路を挟んだ両側の機器収容用ラック同士を相対移動可能に繋いでいるので、地震等により機器収容用ラックが振動又は揺動により変位しても、互いに応力を及ぼすことなく、それら変位が許容される。そのため、機器収容用ラックや遮蔽体が破損するようなことが防止されている。
【００１１】
また、本発明に係る電算機室用空調システムにおいて、前記遮蔽体は、前記通路を挟んだ一側の前記機器収容用ラックの上面に配設されるヒンジ部材と、前記ヒンジ部材に回動可能に支持されるとともに前記通路を挟んだ他側の前記機器収容用ラックの上面に当接可能とされる遮蔽材と、を備えることとしてもよい。
【００１２】
本発明に係る電算機室用空調システムによれば、遮蔽体が、通路を挟んだ一側のヒンジ部材と、ヒンジ部材に回動可能に支持されて他側の機器収容用ラックの上面に当接可能な遮蔽材とを備えており、該遮蔽材がヒンジ部材を中心に回動して開閉可能とされているので、例えばメンテナンス時などに遮蔽材を開状態とすることで、遮蔽材の上方でのメンテナンス作業等が容易に行える。
【００１３】
また、本発明に係る電算機室用空調システムにおいて、前記遮蔽体は、前記通路を挟んだ他側の前記機器収容用ラックの上面に配設される支持部材を備え、前記一側及び前記他側には各々複数の前記機器収容用ラックが前記通路に沿って配設され、前記一側の複数の前記機器収容用ラックが前記通路に沿って延ばされた前記ヒンジ部材を介して接続され、前記他側の複数の前記機器収容用ラックが前記通路に沿って延ばされた前記支持部材を介して接続されていることとしてもよい。
【００１４】
本発明に係る電算機室用空調システムによれば、通路の一側及び他側に各々複数の機器収容用ラックが通路に沿って配設されており、一側の機器収容用ラック同士がヒンジ部材を介して接続され、他側の機器収容用ラック同士が支持部材を介して接続されているので、地震等により一側の機器収容用ラック同士又は他側の機器収容用ラック同士が通路に沿った方向に振動又は揺動するようなことが抑制される。また、通路に沿って隣り合う機器収容用ラック同士が振動又は揺動により衝突し合ったり応力を及ぼし合ったりして破損することが防止される。
【００１５】
また、本発明に係る電算機室用空調システムにおいて、前記遮蔽体は、前記通路を挟んだ一側の前記機器収容用ラックの上面に配設される第１支持部材と、前記通路を挟んだ他側の前記機器収容用ラックの上面に配設される第２支持部材と、前記第１、第２支持部材に架け渡される遮蔽材と、を備え、前記遮蔽材の一側の端部が前記第１支持部材の上面に支持されるとともに該上面に設けられた軸部に係合され、前記遮蔽材の他側の端部が前記第２支持部材の上面に摺動可能に支持され、前記遮蔽材が、前記軸部を中心に回動可能とされていることとしてもよい。
【００１６】
本発明に係る電算機室用空調システムによれば、遮蔽体が、第１支持部材、第２支持部材及び遮蔽材を備え、遮蔽材が、第１支持部材の上面の軸部を中心に回動可能とされているので、地震等により機器収容用ラックが振動又は揺動した際に、通路を挟んで対向する機器収容用ラック同士が通路に沿った方向に相対移動するとこの相対移動に合わせ遮蔽材が回動して、前記機器収容用ラック同士が互いに応力を及ぼし合うようなことが防止される。従って、機器収容用ラックや遮蔽体が破損することが防止されている。
【００１７】
また、本発明に係る電算機室用空調システムにおいて、前記遮蔽材が、前記通路に沿って複数設けられることとしてもよい。
本発明に係る電算機室用空調システムによれば、遮蔽体の遮蔽材が、通路に沿って複数設けられているので、例えばメンテナンス時などに、必要な遮蔽材のみを開状態として該遮蔽材の上方でのメンテナンス作業等がより簡便に行える。すなわち、作業者は作業に必要な遮蔽材のみを開閉すればよく、作業の負荷が大幅に軽減されている。
【００１８】
また、本発明に係る電算機室用空調システムにおいて、前記遮蔽体は、前記通路を挟んだ一側の前記機器収容用ラックの上面に配設される第１ヒンジ部材と、前記通路を挟んだ他側の前記機器収容用ラックの上面に配設される第２ヒンジ部材と、前記第１、第２ヒンジ部材の間に配置される第３ヒンジ部材と、前記第１ヒンジ部材及び前記第３ヒンジ部材を繋ぐ第１遮蔽材と、前記第２ヒンジ部材及び前記第３ヒンジ部材を繋ぐ第２遮蔽材と、を備え、前記第１遮蔽材が前記第１ヒンジ部材を中心に回動可能とされ、前記第２遮蔽材が前記第２ヒンジ部材を中心に回動可能とされ、前記第１遮蔽材と前記第２遮蔽材とが前記第３ヒンジ部材を中心に互いに回動可能とされていることとしてもよい。
【００１９】
本発明に係る電算機室用空調システムによれば、遮蔽体が、第１ヒンジ部材、第２ヒンジ部材、第３ヒンジ部材、第１遮蔽材及び第２遮蔽材を備え、第１遮蔽材が第１ヒンジ部材を中心に回動可能とされ、第２遮蔽材が第２ヒンジ部材を中心に回動可能とされ、第１遮蔽材と第２遮蔽材とが第３ヒンジ部材を中心に互いに回動可能とされているので、地震等により機器収容用ラックが振動又は揺動した際に、通路を挟んで対向する機器収容用ラック同士が接近離間して相対移動するとこの相対移動に合わせ第１遮蔽材及び第２遮蔽材が回動し、前記機器収容用ラック同士が互いに応力を及ぼし合うようなことが防止される。従って、機器収容用ラックや遮蔽体が破損することが防止される。
【００２０】
また、本発明に係る電算機室用空調システムにおいて、前記第１遮蔽材及び第２遮蔽材が複数設けられるとともに、前記通路に沿って配列されることとしてもよい。
本発明に係る電算機室用空調システムによれば、遮蔽体の第１、第２遮蔽材が複数設けられ、通路に沿って配列されているので、例えばメンテナンス時などに、必要な第１、第２遮蔽材のみを開状態として該第１、第２遮蔽材の上方でのメンテナンス作業等がより簡便に行える。
【００２１】
また、本発明に係る電算機室用空調システムにおいて、前記通路の両端には、該通路を遮蔽する一対の両端遮蔽部が設けられ、前記両端遮蔽部は、前記通路の幅方向に延在するように前記遮蔽体の端部に配設される梁部と、柔軟性を有し、前記梁部に取り付けられて前記通路の両端を開閉可能に遮蔽する出入口遮蔽部材と、を備えることとしてもよい。
【００２２】
本発明に係る電算機室用空調システムによれば、通路の両端を遮蔽する一対の両端遮蔽部が設けられているので、通路内の空間と通路の外部空間とが確実に仕切られることとなる。従って、機器収容用ラック内を冷却した後の熱を帯びた空気（温熱空気）が、空気調和装置へ向けて流動せずに通路内に流入するようなことが防止される。また、通路内の空間と空気調和装置の設置空間との間も確実に仕切られることとなるので、通路内の冷却用空気が、機器収容用ラックの機器を冷却せずに空気調和装置に還流されるようなことが防止される。
【００２３】
すなわち、通路内の冷却用空気を確実に機器収容用ラック内へ送ることができるとともに、機器収容用ラックから排出された温熱空気が空気調和装置へ向けて確実に流動する。従って、空気調和装置からの冷気量を最小限に抑えることができるため、空気調和装置の冷却効率が向上する。
【００２４】
また、両端遮蔽部の梁部が、通路の幅方向に延在するように遮蔽体の端部に配設されているので、地震等によって通路を挟んで対向する機器収容用ラックが夫々異なる方向に変位しても、梁部と機器収容用ラックとの相対移動が許容されて、梁部や機器収容用ラックの破損が防止される。
【００２５】
また、両端遮蔽部の出入口遮蔽部材が、柔軟性を有しているので、前述のような変位に対して変形でき、該出入口遮蔽部材の破損が防止される。
また、出入口遮蔽部材が、通路の両端を開閉可能に遮蔽しているので、該出入口遮蔽部材を開閉することで、容易に通路内にアクセスできる。
【００２６】
また、本発明に係る電算機室用空調システムにおいて、前記両端遮蔽部は、前記出入口遮蔽部材における前記幅方向の端縁部に対応して前記機器収容用ラックに配設される案内部材を備え、前記案内部材は、前記出入口遮蔽部材の前記端縁部を収容可能とされていることとしてもよい。
【００２７】
本発明に係る電算機室用空調システムによれば、出入口遮蔽部材の前記幅方向の端縁部が、案内部材に収容可能とされているので、該端縁部近傍において、通路内の冷却用空気が通路の外部空間に漏れ出るようなことが抑制される。従って、通路内の空間の前記外部空間に対する気密性が充分に確保される。
【発明の効果】
【００２８】
本発明に係る電算機室用空調システムによれば、遮蔽体を用いて機器収容用ラックに収容された機器を効率よく冷却できるとともに、地震等により機器収容用ラックが振動又は揺動しても該機器収容用ラックや遮蔽体の破損が確実に防止される。
【図面の簡単な説明】
【００２９】
【図１】本発明の第１の実施形態に係る電算機室用空調システムの概略構成を示す斜視図である。
【図２】機器収容用ラックに応力が加わった際の変形を説明する図である。
【図３】機器収容用ラックの許容変位量を説明するグラフである。
【図４】本発明の第１の実施形態に係る電算機室用空調システムの遮蔽体の概略構成を示す側面図である。
【図５】本発明の第２の実施形態に係る電算機室用空調システムの遮蔽体の概略構成を示す斜視図である。
【図６】本発明の第３の実施形態に係る電算機室用空調システムの遮蔽体の概略構成を示す斜視図である。
【図７】本発明の第４の実施形態に係る電算機室用空調システムの遮蔽体の概略構成を示す側面図である。
【図８】本発明の第４の実施形態に係る電算機室用空調システムの遮蔽体の概略構成を示す平面図である。
【図９】本発明の第５の実施形態に係る電算機室用空調システムの遮蔽体の概略構成を示す側面図である。
【図１０】本発明の実施形態に係る両端遮蔽部の変形例を示す概略斜視図である。
【図１１】図１０の両端遮蔽部の概略構成を示す断面図である。
【発明を実施するための形態】
【００３０】
（実施形態１）
以下、本発明の第１の実施形態における電算機室用空調システムについて、図面を参照して説明する。
図１は本発明の第１の実施形態に係る電算機室用空調システムの概略構成を示す斜視図、図２は機器収容用ラックに応力が加わった際の変形を説明する図、図３は機器収容用ラックの許容変位量を説明するグラフ、図４は本発明の第１の実施形態に係る電算機室用空調システムの遮蔽体の概略構成を示す側面図である。
【００３１】
図１に示す電算機室用空調システム１００は、箱状に形成された電算機室１０１において利用されるものである。
まず、電算機室１０１について説明する。
電算機室１０１には、床下に内部空間５を有する二重床２を備えている。二重床２には、長手方向に延びる通路４が形成されている。二重床２には、その厚さ方向に貫通する矩形状の長孔８が形成されている。そして、長孔８の縁部の全周には、この長孔８を覆う矩形板状の孔あきパネル７が嵌め込まれている。孔あきパネル７には、厚さ方向に貫通する複数の孔が形成されている。これにより、床下の内部空間５と通路４の空間とが、それら複数の孔を介して連通している。
【００３２】
次いで、電算機室１０１において利用される電算機室用空調システム１００について説明する。
電算機室用空調システム１００は、通路４を挟んで両側に対向配置されたラック（機器収容用ラック）３と、空気調和装置６とを備えている。
ラック３は、略直方体形の箱状に形成されており、通信装置等の各種機器を収容するものである。これらラック３は、通路４の長手方向に沿って、該通路４の短手方向（以下「幅方向」と言う場合がある）の両側に複数配列されている。ラック３は、互いに対向する対向面(前面３ｂ)に形成された給気口(不図示)から、通路４の空間の空気を給気し、給気した空気を上面３ａ又は背面の吹出口から上方又は後方に向けて吹き出すようになっている。
【００３３】
ここで、地震等によりラック３に振動又は揺動が生じた場合の、ラック３の許容変位量について説明する。
図２に示すように、ラック３は、その長手方向を鉛直方向に配して二重床２に立設されており、例えばその外形寸法が、幅６００ｍｍ〜７００ｍｍ×奥行き９００ｍｍ〜１２００ｍｍ×高さ２０００ｍｍ程度に形成されている。このようにラック３が鉛直方向に延在して形成され、比較的高さが高く、かつ、比較的重量のある通信装置等が収容されることで、地震等が生じた場合には、その底面部分が二重床２の振動とともに揺さぶられ、上面部分に大きな応力ｆが作用して揺れ動かされる。
【００３４】
図２において、側方からの応力ｆがラック３の上面部分に作用した際に該ラック３が傾動するように水平方向に変位する距離（以下「変位量」とする）をｄとすると、図３に示すように、応力ｆが０から漸次増大するに従って、変位量ｄは応力ｆに略比例するように漸次増大していく。そして、ある所定の変位量ｄａを越えると、応力ｆがそれ以上増大しなくとも変位量ｄが次第に増大していき、ラック３が損傷する。すなわち、変位量ｄａがラック３の最大許容変位量とされており、この変位量ｄａは、例えば数ｃｍとされる。
【００３５】
また、図１に示すように、空気調和装置６は、箱状に形成されている。この空気調和装置６は、ラック３の側方であって、通路４の長手方向の一端（図１における右方）側に配置されている。そして、空気調和装置６は、下面６ｂの吹出口から冷却用空気を吹き出し、電算機室１０１の上方空間を流動する空気を、その上面６ａの吸引口から吸引し、冷却した後、再び吹出口から吹き出すようになっている。
【００３６】
また、図１に示す符号１３は、通路４の長手方向の一端部に配置され、該通路４の空間と外部の空間とを区画する壁体（両端遮蔽部）である。壁体１３と空気調和装置６とは、互いに間隔を開け配設されている。また、壁体１３には、開閉自在の扉１３ａが設けられている。
このように構成されていることにより、壁体１３によって通路４側の空間と空調装置６側の空間とが遮断され、孔あきパネル７から吹き出された冷気が直接空気調和装置６の吸込口６ａに吸い込まれることが防止されている（ショートサーキット現象の防止）。従って、内部空間５に充分な量の冷気を供給することができ、空気調和装置６から離れたラック３にも充分に冷気を送ることができ、冷却効率を向上させることができる。
また、扉１３ａが設けられていることにより、作業員が扉１３ａを通って通路４内に出入りできる。
【００３７】
また、通路４の長手方向の他端（図１における左方）部にも、開閉自在の扉１４ａを有する壁体（両端遮蔽部）１４が設けられている。これにより、ラック３から排気された排熱が通路４の他端側で回り込んで通路４内に入り込むことが防止される。従って、他端側のラック３の上部に収容された機器であっても充分に冷却を行うことができる。また、扉１４ａが設けられていることにより、作業員が扉１４ａを通って通路４内に出入りできる。
このように、通路４の長手方向の両端には、該両端を遮蔽する一対の両端遮蔽部として、壁体１３，１４が配設されている。
【００３８】
また、通路４を挟んで両側に配されたラック３の上面３ａ同士の間には、遮蔽体１１が架け渡されている。
図４に示すように、遮蔽体１１は、通路４を挟んだ一側（図４における左側）に配列するラック３の上面３ａに設けられたヒンジ部材１１１と、通路４を挟んだ他側（図４における右側）に配列するラック３の上面３ａに設けられたローラー（支持部材）１１２と、ヒンジ部材１１１に回動可能に支持されるとともにローラー１１２に当接可能とされる遮蔽板（遮蔽材）１１３とを備えている。
【００３９】
ヒンジ部材１１１は、略矩形平板状又は略平棒状を成し、本体部分が通路４の長手方向に沿って延在し、本体部分の両端のピン支持部１１１ａが該本体部分に直交するように上方に向け夫々折り返されている。これらピン支持部１１１ａには、水平方向に貫通するピン孔１１１ｂが夫々形成されている。また、ヒンジ部材１１１の延在方向の外形寸法は、通路４の一側に配列する複数のラック３の前記延在方向の外形寸法と略同一に設定されている。
【００４０】
また、ヒンジ部材１１１の本体部分には、延在方向に間隔を開け複数の孔１１１ｃが穿設されており、これら孔１１１ｃには、各々ボルト１１４が挿入されるとともに各ラック３の上面３ａに螺着されている。これらボルト１１４により、ヒンジ部材１１１が各ラック３の上面３ａに固定されており、通路４の一側に配列する複数のラック３が、該ヒンジ部材１１１を介し一体に接続されている。
【００４１】
また、ローラー１１２は、断面略蒲鉾形の棒状を成し、通路４の長手方向に沿って延在している。ローラー１１２の延在方向の外形寸法は、通路４の他側に配列する複数のラック３の前記延在方向の外形寸法と略同一に設定されている。また、ローラー１１２には、延在方向に間隔を開け複数の孔１１２ａが穿設されており、これら孔１１２ａには、各々ボルト１１５が挿入されるとともに各ラック３の上面３ａに螺着されている。これらボルト１１５により、ローラー１１２が各ラック３の上面３ａに固定されており、通路４の他側に配列する複数のラック３が、該ローラー１１２を介し一体に接続されている。
【００４２】
また、遮蔽板１１３は、略矩形平板状を成し、通路４の上方を覆うように該通路４の長手方向に延在している。遮蔽板１１３の一側の端部には、略丸棒状のピン１１３ａが通路４の長手方向に延びて夫々設けられており、これらピン１１３ａが、ヒンジ部材１１１のピン支持部１１１ａのピン孔１１１ｂに回動可能に挿入され支持されている。また、遮蔽板１１３の他側の端部は、ローラー１１２の配される位置よりも他側に向け充分に突出しており、遮蔽板１１３の下面とローラー１１２の上端とが当接可能とされている。詳しくは、遮蔽板１１３がローラー１１２の上端から他側に突出する長さＬは、前述したラック３の許容変位量ｄａの２倍以上に設定されている。また、遮蔽板１１３の下面とローラー１１２の上端とは、互いに摺動して相対移動可能に当接している。
【００４３】
このような構成により、遮蔽板１１３は、ヒンジ部材１１１を中心に回動可能とされるとともに、通路４の上方部分を開閉可能としている。そして、遮蔽板１１３の下面がローラー１１２に当接して閉状態とされた際には、遮蔽体１１により通路４を挟んで対向するラック３同士が相対移動自在に繋がれるとともに、通路４とラック３の上方の空間とが区画される。
【００４４】
次に、本実施形態における電算機室用空調システム１００の冷却作用について説明する。
図１に示す電算機室１０１において、ラック３に収容された通信装置などが動作することにより、それら各機器が熱を帯びてしまう。そのため、動作している各機器を冷却する必要がある。
そこで、空気調和装置６の下面６ｂの吹出口から、内部空間５に冷却用空気を吹き出す。この冷却用空気は、内部空間５を通って、孔あきパネル７の複数の孔から上方（通路４の空間）に吹き出される。そして、通路４の空間に送られた冷却用空気は、ラック３の前面３ｂの給気口から給気され、熱交換作用により、各機器を冷却する。これにより、給気された空気は、暖められて温熱空気となる。その温熱空気は、ラック３の上面３ａ又は背面の吹出口から上方に吹き出される。さらに、吹き出された温熱空気は、電算機室１０１の上方空間を、通路４の長手方向に沿うように一端側へ流動し、空気調和装置６の上面６ａの吸引口から吸引され、冷却された後、再び下面６ｂの吹出口から吹き出される。
これにより、電算機室１０１内の空気の流れや温度がコントロールされ、各機器の良好な動作状態が維持される。
【００４５】
ところで、従来では、ラック３の上面３ａ又は背面から吹き出された温熱空気は、空気調和装置６に給気される前に、通路４の空間に還流されて、ラック３の前面３ｂから給気されてしまう場合があった。
しかしながら、本実施形態においては、通路４を挟んで対向するラック３の上面３ａ同士の間に遮蔽体１１が配されており、ラック３の上方空間と通路４の空間とが仕切られていることから、ラック３の上面３ａの温熱空気が通路４の空間に流動することが規制される。すなわち、通路４の空間は、二重床２の床上から遮蔽体１１にわたって、冷却用空気で常に満たされる。
【００４６】
また、従来では、通路４の冷却用空気が、ラック３に給気されることなく、ダイレクトに空気調和装置６に吸引されてしまう場合があった。
しかしながら、本実施形態においては、通路４の長手方向の一端部を塞ぐようにして、二重床２の床上と遮蔽体１１との間に壁体１３が配設されており、通路４の空間と空気調和装置６の設置空間とが仕切られていることから、通路４の冷却用空気が空気調和装置６の設置空間に流動することが規制される。
また、通路４の長手方向の他端部を塞ぐようにして、二重床２の床上と遮蔽体１１との間に壁体１４が配設されており、通路４の空間と該通路４の他端側の外部空間とが仕切られていることから、ラック３から吹き出された温熱空気が通路４の他端側で回り込んで通路４内に入り込むことが防止される。従って、通路４の長手方向の他端部に配されるラック３に収容された機器であっても充分に冷却することができる。
【００４７】
以上説明したように、本実施形態の電算機室用空調システム１００によれば、通路４を挟んで両側に配されるラック３同士の上面３ａ間には遮蔽体１１の遮蔽板１１３が架け渡されており、該遮蔽体１１により通路４とラック３の上方の空間とが区画されているので、ラック３から吹き出された空気が、通路４に還流されてラック３に吸い込まれることが防止されるとともに空気調和装置６に確実に送られて、ラック３に収容する機器の冷却効率が充分に確保されている。
【００４８】
また、遮蔽体１１の遮蔽板１１３が通路４を挟んだ両側のラック３同士を相対移動可能に繋いでいるので、地震等によりこれらラック３が振動又は揺動により変位しても、互いに応力ｆを及ぼすことなく、それら変位が許容される。そのため、ラック３や遮蔽体１１などが破損するようなことが防止されている。すなわち、例えば通路４を挟んで両側に配されたラック３同士を、遮蔽体１１を用いて相対移動不可に固定接続した場合と比較して、地震等によりこれらラック３が振動又は揺動して互いに応力ｆを及ぼし合い、許容変位量ｄａを越えて大きく変形して破損したり遮蔽体１１が変形して破損したりするようなことが確実に防止される。
【００４９】
また、遮蔽体１１が、通路４を挟んだ一側のヒンジ部材１１１と、他側のローラー１１２と、ヒンジ部材１１１に回動可能に支持されてローラー１１２に当接可能な遮蔽板１１３とを備えており、該遮蔽板１１３がヒンジ部材１１１を中心に回動して開閉可能とされているので、例えばメンテナンス時などに遮蔽板１１３を開状態とすることで、遮蔽板１１３の上方でのメンテナンス作業等が容易に行える。
【００５０】
また、通路４の一側及び他側に各々複数のラック３が通路４に沿って配設されており、一側のラック３同士が、ヒンジ部材１１１を用いて一体に接続され、他側のラック３同士が、ローラー１１２を用いて一体に接続されているので、地震等により一側のラック３同士及び他側のラック３同士が通路４に沿った方向に振動又は揺動するようなことが抑制されている。従って、通路４に沿って隣り合うラック３同士が振動又は揺動して衝突し合ったり応力ｆを及ぼし合ったりして破損するようなことが防止されている。
【００５１】
また、遮蔽体１１の遮蔽板１１３の他側の端部が、ローラー１１２から他側に充分に突出して形成されており、ローラー１１２から他側に突出する長さＬがラック３の許容変位量ｄａの２倍以上に設定されているので、通路４を挟んで対向するラック３同士が地震等により振動又は揺動して、通路４の短手方向に互いに離間するように傾動し例えば許容変位量ｄａずつ変位した場合であっても、図４に２点鎖線で示すローラー１１２の上端が、遮蔽板１１３の前記端部よりも他側に配されるようなことがない。従って、遮蔽板１１３がローラー１１２の上端から脱落し破損することが防止されている。
【００５２】
（実施形態２）
次に、本発明の第２の実施形態について説明する。
図５は本発明の第２の実施形態に係る電算機室用空調システムの遮蔽体の概略構成を示す斜視図である。尚、前述の第１の実施形態の遮蔽体１１と同一部材には同一の符号を付し、その説明を省略する。
この実施形態と上記第１の実施形態とは基本的構成は同一であり、ここでは主として異なる点について説明する。
【００５３】
図５に示すように、第２の実施形態の遮蔽体２１は、通路４を挟んだ一側（図５における上側）に配列する図示しないラック３の上面３ａに設けられたヒンジ部材１２１と、通路４を挟んだ他側（図５における下側）に配列する図示しないラック３の上面３ａに設けられたローラー１１２と、ヒンジ部材１２１に回動可能に支持されるとともにローラー１１２に当接可能とされる複数の遮蔽板（遮蔽材）１２３とを備えている。また、これら遮蔽板１２３は、通路４の長手方向に沿って配列され、通路４を挟んで両側に配されたラック３の上面３ａ同士の間に夫々架け渡されている。
【００５４】
ヒンジ部材１２１は、略矩形平板状又は略平棒状を成し、本体部分が通路４の長手方向に沿って延在している。また、本体部分に直交するように複数のピン支持部１２１ａが立設されており、これらピン支持部１２１ａが、該本体部分の延在方向に略等間隔に配されている。これらピン支持部１２１ａには、水平方向に貫通するピン孔１２１ｂが夫々形成されている。
【００５５】
また、遮蔽板１２３は、略矩形平板状を成し、通路４の上方を覆うように該通路４の長手方向に配列している。遮蔽板１２３の一側の端部には、略丸棒状のピン１２３ａが通路４の長手方向に沿って延在し該遮蔽板１２３を貫通しており、ピン１２３ａが、ヒンジ部材１２１の夫々のピン支持部１２１ａのピン孔１２１ｂに回動可能に挿入され支持されている。
このような構成により、遮蔽板１２３は、ヒンジ部材１２１を中心に夫々回動可能とされるとともに、通路４の上方部分を夫々開閉可能としている。
【００５６】
以上説明したように、本実施形態の電算機室用空調システム１００によれば、遮蔽体２１の遮蔽板１２３が、通路４に沿って複数設けられているので、メンテナンス時などに、必要な遮蔽板１２３のみを開状態として該遮蔽板１２３の上方でのメンテナンス作業等がより簡便に行える。すなわち、作業者は作業に必要な遮蔽板１２３のみを開閉すればよく、作業の負荷が大幅に軽減されている。
【００５７】
（実施形態３）
次に、本発明の第３の実施形態について説明する。
図６は本発明の第３の実施形態に係る電算機室用空調システムの遮蔽体の概略構成を示す斜視図である。尚、前述の第１、第２の実施形態の遮蔽体１１，２１と同一部材には同一の符号を付し、その説明を省略する。
この実施形態と上記第１、第２の実施形態とは基本的構成は同一であり、ここでは主として異なる点について説明する。
【００５８】
図６に示すように、第３の実施形態の電算機室用空調システム２００では、通路４を挟んで両側に対向配置されたラック（機器収容用ラック）３３を備えている。ラック３３は、箱状に形成されており、通信装置等の各種機器を収容するものである。これらラック３３は、通路４の長手方向に沿って複数配列されており、それぞれ高さ寸法が異なるものもある。
【００５９】
本実施形態におけるラック３３のうち、高さ寸法が他のラック３３に比べ低いものの上面３３ａには、通路４とラック３３の上面３３ａとを区画し該通路４に対面するように立設された板状の仕切部材３４が形成されている。これら仕切部材３４は、配設される各ラック３３に合わせ種々様々なサイズに形成されており、これら仕切部材３４が配設されることで、ラック３３の通路４に対面する前面３３ｂの高さ寸法が略同一に設定される。
【００６０】
また、通路４を挟んだ一側（図６における左側）に配列するラック３３の上面３３ａには、通路４の長手方向に沿って延在する棒状のランナー３５が設けられている。ランナー３５の延在方向の外形寸法は、通路４の一側に配列する複数のラック３３の前記延在方向の外形寸法と略同一に設定されている。また、ランナー３５には、延在方向に間隔を開け複数の孔（不図示）が穿設されており、これら孔には、各々ボルト（不図示）が挿入されるとともに高さ寸法の高い各ラック３３の上面３３ａに螺着されている。このような構成により、通路４の一側に配列する複数のラック３３が、ランナー３５を介し一体に接続されている。
【００６１】
また、通路４を挟んだ他側（図６における右側）に配列するラック３３の上面３３ａには、通路４の長手方向に沿って延在する棒状のローラー（支持部材）１３２が設けられている。ローラー１３２の延在方向の外形寸法は、通路４の他側に配列する複数のラック３３の前記延在方向の外形寸法と略同一に設定されている。また、ローラー１３２には、延在方向に間隔を開け複数の孔（不図示）が穿設されており、これら孔には、各々ボルト（不図示）が挿入されるとともに高さ寸法の高い各ラック３３の上面３３ａに螺着されている。このような構成により、通路４の他側に配列する複数のラック３３が、ローラー１３２を介し一体に接続されている。
【００６２】
また、通路４を挟んで両側に配されたラック３３の上面３３ａ同士の間には、遮蔽体３１が架け渡されている。
遮蔽体３１は、通路４を挟んだ一側に配列するラック３３のうち、通路４の長手方向の両端のラック３３の各上面３３ａに設けられたヒンジ部材（不図示）と、前記ローラー１３２と、前記ヒンジ部材に回動可能に支持されるとともにローラー１３２に当接可能とされる遮蔽板（遮蔽材）１３３とを備えている。
【００６３】
遮蔽板１３３は、その一側の端部を略丸棒状の軸体１３３ａに支持されている。軸体１３３ａは、通路４の長手方向に沿って延在しており、延在方向の両端を前記ヒンジ部材に支持されて、軸線周りの回動可能とされている。また、遮蔽板１３３の他側の端部は、ローラー１３２の配される位置よりも他側に向け充分に突出しており、遮蔽板１３３の下面とローラー１３２の上端とが当接可能とされている。また、遮蔽板１３３の下面とローラー１３２の上端とは、当接状態で互いに摺動し相対移動可能とされている。
【００６４】
このような構成により、遮蔽板１３３は、ヒンジ部材を中心に回動可能とされるとともに、通路４の上方部分を開閉可能としている。そして、遮蔽板１３３の下面がローラー１３２に当接して閉状態とされた際には、遮蔽体３１により通路４を挟んで対向するラック３３同士が相対移動自在に繋がれるとともに、通路４とラック３３の上方の空間とが区画される。
尚、前述の第２の実施形態で説明したように、遮蔽板１３３を複数設けるとともに通路４の長手方向に配列して、各々の遮蔽板１３３が軸体１３３ａを中心に各々回動可能な構成としても構わない。
【００６５】
以上説明したように、本実施形態の電算機室用空調システム２００においては、高さ寸法の低いラック３３の上面３３ａの通路４側の端部と遮蔽板１３３との間に仕切部材３４が配されており、ラック３３の上方空間と通路４の空間とが仕切られていることから、ラック３３の上面３３ａの温熱空気が通路４の空間に流動することが規制されている。すなわち、通路４の空間は、二重床２の床上から遮蔽体３１にわたって、冷却用空気で常に満たされるので、冷却効率が確保される。
【００６６】
また、本実施形態の遮蔽体３１によれば、遮蔽板１３３が通路４を挟んだ両側のラック３３同士を相対移動自在に繋いでいるので、地震等によりこれらラック３３が振動又は揺動しても、該ラック３３や遮蔽体３１等が破損するようなことが防止されている。
【００６７】
（実施形態４）
次に、本発明の第４の実施形態について説明する。
図７は本発明の第４の実施形態に係る電算機室用空調システムの遮蔽体の概略構成を示す側面図、図８は本発明の第４の実施形態に係る電算機室用空調システムの遮蔽体の概略構成を示す平面図である。尚、前述の第１乃至第３の実施形態の遮蔽体１１，２１，３１と同一部材には同一の符号を付し、その説明を省略する。
この実施形態と上記第１乃至第３の実施形態とは基本的構成は同一であり、ここでは主として異なる点について説明する。
【００６８】
図７、図８に示すように、第４の実施形態の遮蔽体４１は、通路４を挟んだ一側（図７、図８における左側）に配列するラック３の上面３ａに設けられ該通路４の長手方向に延在する棒状のランナー（第１支持部材）１４１と、通路４を挟んだ他側（図７、図８における右側）に配列するラック３の上面３ａに設けられ前記長手方向に延在する棒状のローラー（第２支持部材）１４２と、ランナー１４１及びローラー１４２に架け渡される略矩形板状の複数の遮蔽板（遮蔽材）１４３とを備えている。また、これら遮蔽板１４３は、通路４の長手方向に沿って配列している。
【００６９】
また、各々の遮蔽板１４３の一側の端部には、鉛直方向に貫通する孔１４３ａが形成されている。
また、ランナー１４１の上面には、各々の遮蔽板１４３の孔１４３ａに対応する位置に略丸棒状の軸部１４１ａが設けられ、これら軸部１４１ａが鉛直方向に延びるとともに孔１４３ａに挿入されている。軸部１４１ａの外径は、遮蔽板１４３の孔１４３ａの内径よりも若干小さく設定されており、軸部１４１ａが孔１４３ａに挿入された状態で、遮蔽板１４３が軸部１４１ａを中心に回動可能とされている。
【００７０】
また、遮蔽板１４３の他側の端部は、ローラー１４２の配される位置よりも他側に向け充分に突出しており、遮蔽板１４３の下面とローラー１４２の上端とが当接可能とされている。また、遮蔽板１４３の下面とローラー１４２の上端とは、当接状態で互いに摺動し相対移動可能とされている。
【００７１】
このように遮蔽体４１によって通路４を挟んで対向するラック３同士が相対移動自在に繋がれるとともに、通路４とラック３の上方の空間とが区画される。
【００７２】
以上説明したように、本実施形態の遮蔽体４１によれば、遮蔽板１４３が、ランナー１４１の上面の軸部１４１ａを中心に回動可能とされているので、地震等によりラック３が振動又は揺動した際に、通路４を挟んで対向するラック３同士が通路４の長手方向に沿って互いに相対移動すると、この相対移動に合わせ遮蔽板１４３が回動するので、ラック３同士が互いに応力を及ぼし合うようなことが防止されている。また、通路４を挟んで対向するラック３同士が互いに接近離間して相対移動した際にも、遮蔽板１４３がローラー１４２の上面を摺動して移動可能とされているので、前記ラック３同士が互いに応力を及ぼし合うようなことが防止される。従って、ラック３や遮蔽体４１が破損することが防止される。
【００７３】
（実施形態５）
次に、本発明の第５の実施形態について説明する。
図９は本発明の第５の実施形態に係る電算機室用空調システムの遮蔽体の概略構成を示す側面図である。尚、前述の第１乃至第４の実施形態の遮蔽体１１，２１，３１，４１と同一部材には同一の符号を付し、その説明を省略する。
この実施形態と上記第１乃至第４の実施形態とは基本的構成は同一であり、ここでは主として異なる点について説明する。
【００７４】
図９に示すように、第５の実施形態の遮蔽体５１は、通路４を挟んだ一側（図９における左側）に配列するラック３の上面３ａに設けられ該通路４の長手方向に延在する略棒状の第１ヒンジ軸（第１ヒンジ部材）１５１と、通路４を挟んだ他側（図９における右側）に配列するラック３の上面３ａに設けられ前記長手方向に延在する略棒状の第２ヒンジ軸（第２ヒンジ部材）１５２と、第１ヒンジ軸１５１及び第２ヒンジ軸１５２の間に配置され前記長手方向に延在する略棒状の第３ヒンジ軸（第３ヒンジ部材）１５３とを備える。また、第１ヒンジ軸１５１はラック３の上面３ａに固定されており、第２ヒンジ軸１５２は上面３ａに着脱可能とされている。
【００７５】
また、遮蔽体５１は、第１ヒンジ軸１５１と第３ヒンジ軸１５３とを繋ぐとともに第１、第３ヒンジ軸１５１，１５３に回動自在に支持される略矩形板状の第１遮蔽板（第１遮蔽材）１５４と、第２ヒンジ軸１５２と第３ヒンジ軸１５３とを繋ぐとともに第２、第３ヒンジ軸１５２，１５３に回動自在に支持される略矩形板状の第２遮蔽板（第２遮蔽材）１５５とを備えている。
【００７６】
このような構成により、遮蔽体５１の第１遮蔽板１５４は第１ヒンジ軸１５１を中心に回動可能とされ、第２遮蔽板１５５は第２ヒンジ軸１５２を中心に回動可能とされ、第１遮蔽板１５４と第２遮蔽板１５５とが第３ヒンジ軸１５３を中心に互いに回動可能とされている。
【００７７】
以上説明したように、本実施形態の遮蔽体５１によれば、第１遮蔽板１５４が第１ヒンジ軸１５１を中心に回動可能とされ、第２遮蔽板１５５が第２ヒンジ軸１５２を中心に回動可能とされ、第１遮蔽板１５４と第２遮蔽板１５５とが第３ヒンジ軸１５３を中心に互いに回動可能とされているので、地震等によりラック３が振動又は揺動した際に、通路４を挟んで対向するラック３同士が接近離間して相対移動すると、この相対移動に合わせ第１遮蔽板１５４及び第２遮蔽板１５５が前述のように回動するので、ラック３同士が互いに応力を及ぼし合うようなことが防止される。従って、ラック３や遮蔽体５１が破損することが防止されている。
【００７８】
また、第２ヒンジ軸１５２がラック３の上面３ａに着脱可能とされているので、メンテナンス時等には第２ヒンジ軸１５２を該上面３ａから取り外し、遮蔽体５１を開状態とすることができる。従って、遮蔽体５１の上方でのメンテナンス作業等が容易に行える。
【００７９】
尚、第１、第２遮蔽板１５４，１５５を夫々複数設けるとともに通路４に沿って配列することとしても構わない。そして、第１遮蔽板１５４を第１、第３ヒンジ軸１５１，１５３に対し着脱可能とし、第２遮蔽板１５５を第２、第３ヒンジ軸１５２，１５３に対し着脱可能とすれば、メンテナンス時などに、必要な第１、第２遮蔽板１５４，１５５のみを開状態として第１、第２遮蔽板１５４，１５５の上方でのメンテナンス作業等が容易に行える。
さらに、第１、第２、第３ヒンジ軸１５１，１５２，１５３を、これら第１、第２遮蔽板１５４，１５５に対応して延在方向に分割するように複数設けても構わない。この構成によれば、第１、第２遮蔽板１５４，１５５を、第１、第２、第３ヒンジ軸１５１，１５２，１５３に対し取り外さなくとも、第１、第３ヒンジ軸１５１，１５３を中心に回動させることで、夫々開状態にすることが可能である。
【００８０】
尚、本発明は前述の第１乃至第５の実施の形態に限定されるものではなく、本発明の趣旨を逸脱しない範囲において種々の変更を加えることが可能である。
例えば、遮蔽体は、通路４を挟んで配されるラック３（３３）同士を互いに相対移動自在に繋いでいればよいため、ラック３（３３）の上面３ａ（３３ａ）に通路４の短手方向に沿ってレール等の軌道部材を設け、この軌道部材に遮蔽体の遮蔽板を係合するとともに、遮蔽板を軌道部材に沿って移動可能としても構わない。このような構成により、前記ラック３（３３）同士が接近離間し相対移動しても互いに過度の応力ｆを及ぼし合うようなことがなくなり、ラック３（３３）及び遮蔽体等の損傷が防止される。
【００８１】
また、前述の実施形態では略矩形板状の遮蔽板１１３，１２３，１３３，１４３及び第１、第２遮蔽板１５４，１５５を用いることとして説明したが、遮蔽体の遮蔽材は板状に限定されるものではなく、例えばシート状、膜状、布状等それ以外の形状であっても構わない。また、遮蔽板（第１、第２遮蔽板）の材質は特に限定されるものではないが、透明なガラスや樹脂等の透過性を有する材料で形成することにより、通路４の上方に設置した照明等の照度が充分に確保できるのでより好ましい。
【００８２】
また、第１乃至第４の実施形態では、遮蔽板１１３，１２３，１３３，１４３の他側の端部が、他側のラック３，３３の上面３ａ，３３ａのローラー１１２，１３２，１４２の上端に当接することとして説明したが、これに限定されるものではない。すなわち、遮蔽板１１３，１２３，１３３，１４３の他側の端部が、他側のラック３，３３の上面３ａ，３３ａに直接当接する構成としても構わない。また、ローラー以外のシート部材や突起部材等、それ以外の支持部材に当接することとしても構わない。
【００８３】
また、第１、第２の実施形態では、ヒンジ部材１１１，１２１の本体部分が通路４の長手方向に沿って延在し、該ヒンジ部材１１１，１２１の延在方向の外形寸法が、通路４の一側に配列する複数のラック３の前記延在方向の外形寸法と略同一に設定されていることとしたが、これに限定されるものではない。また、第３の実施形態では、軸体１３３ａが、通路４の長手方向に沿って延在しており、通路４の一側に配列する複数のラック３３のうち両端のラック３３の各上面３３ａに設けられたヒンジ部材に、その両端を支持されて回動可能とされていることとしたが、これに限定されるものではない。
【００８４】
すなわち、これらのヒンジ部材１１１，１２１及び軸体１３３ａは、通路４の一側に配列する複数のラック３，３３に夫々対応するように、前記延在方向に分割され、複数設けられていても構わない。
【００８５】
また、第４の実施形態において、軸部１４１ａの代わりに、ラック３の上面３ａにボールジョイント等の球面軸受部材を配設し、該球面軸受部材を遮蔽板１４３に連結してもよい。すなわち、球面軸受部材を用いて、遮蔽板１４３を回動可能に軸支してもよい。この場合、遮蔽板１４３を開閉させる向きの自由度が増す。
【００８６】
また、前述の実施形態におけるヒンジ部材１１１，１２１、軸体１３３ａ、軸部１４１ａ、第１、第２ヒンジ軸１５１，１５２の代わりに、ラック３，３３の上面３ａ，３３ａに弾性変形可能な弾性部材を配設し、該弾性部材を遮蔽板１１３，１２３，１３３，１４３、第１、第２遮蔽板１５４，１５５に連結してもよい。すなわち、弾性部材を弾性変形させることにより、これらの遮蔽板１１３，１２３，１３３，１４３、第１、第２遮蔽板１５４，１５５を開閉させるように構成してもよい。この場合、遮蔽板１１３，１２３，１３３，１４３、第１、第２遮蔽板１５４，１５５を開閉させる向きの自由度が増すとともに、開いた後には、弾性復元力によってこれらの遮蔽板１１３，１２３，１３３，１４３、第１、第２遮蔽板１５４，１５５が元の閉状態に戻る。
【００８７】
また、第１の実施形態では、通路４の長手方向の両端を遮蔽する一対の両端遮蔽部として、壁体１３，１４が配設されることとして説明したが、両端遮蔽部の構成は、これに限定されるものではない。
図１０及び図１１は、両端遮蔽部の変形例を示している。図１０に示すように、両端遮蔽部１６０は、遮蔽体１１，２１，３１，４１の遮蔽板１１３，１２３，１３３，１４３における通路４の長手方向に沿った端部に、該通路４の幅方向に延在するように配設される梁部１６１と、柔軟性を有し、梁部１６１に取り付けられて通路４の両端を開閉可能に遮蔽する出入口遮蔽部材１６２と、を夫々備えている。
【００８８】
図１１（ａ）に示すように、梁部１６１は、例えば、角筒状をなし、前記幅方向に沿って延びるとともに、内部に出入口遮蔽部材１６２を巻き取り収納可能な空間を有する本体１６１ａと、この本体１６１ａ内に配置され、丸筒状又は丸棒状をなし、前記幅方向に沿って延びるとともに、軸線回りに回転可能に取り付けられた巻き取り軸１６１ｂと、を有している。また、本体１６１ａにおける下面部分には、前記幅方向に沿って延びるスリット（不図示）が形成されており、当該スリットには、出入口遮蔽部材１６２が挿通されている。また、巻き取り軸１６１ｂの外周面には、出入口遮蔽部材１６２が巻き回されるようになっている。
【００８９】
また、梁部１６１の本体１６１ａと遮蔽板１１３，１２３，１３３，１４３の前記端部とは、平板状や断面Ｌ字状をなす取付金具１６４によって、互いに連結されている。詳しくは、取付金具１６４は、本体１６１ａ及び前記端部に螺着や溶接、ビス止め等により固定されている。このようにして、梁部１６１及び出入口遮蔽部材１６２は、遮蔽板１１３，１２３，１３３，１４３に支持されている。
【００９０】
また、出入口遮蔽部材１６２は、略矩形状をなし、柔軟性を有するシート状或いはスクリーン状の部材からなり、梁部１６１の本体１６１ａの内部に巻き取られた状態で収納可能とされている。尚、出入口遮蔽部材１６２としては、気体を通過させにくい性質の材料、すなわち一定以上の気密性を有する材料を用いることが好ましい。
【００９１】
また、出入口遮蔽部材１６２は、その鉛直方向の上側部分を梁部１６１に支持され、下側の端縁部１６２ａを本体１６１ａの下側へ露出している。詳しくは、端縁部１６２ａは、前記幅方向に延びる丸棒状をなし、その外径が、本体１６１ａの前記スリットの幅以上に設定されている。このような構成により、端縁部１６２ａはスリットに挿通不可とされていて、常に本体１６１ａの下側へ突出するようになっている。
【００９２】
また、本体１６１ａ内に収容された出入口遮蔽部材１６２は、前記スリットから突出した端縁部１６２ａを下方へ引き出すことによって、通路４の前記端部を遮蔽可能であり、端縁部１６２ａを上下に移動させることによって開閉可能である。
【００９３】
また、両端遮蔽部１６０は、出入口遮蔽部材１６２における前記幅方向の端縁部に対応してラック３，３３に配設される一対のガイドレール（案内部材）１６３を備えている。これらのガイドレール１６３は、出入口遮蔽部材１６２の前記端縁部を夫々収容可能とされているとともに、後述するようにして該端縁部の動きを規制する。ガイドレール１６３は、通路４の前記端部において対向するラック３，３３の側面に夫々配置され、鉛直方向に延びるように設けられている。ガイドレール１６３は、例えば、断面Ｃ字状や断面コ字状に形成され、その窪んだ凹部に前記端縁部を収容するようになっている。また、図１１（ａ）に示すように、ガイドレール１６３の上端部と梁部１６１の本体１６１ａとの間には、若干の間隙が形成されている。
【００９４】
また、図示しないが、出入口遮蔽部材１６２の前記幅方向の端縁部には、係合部が設けられており、当該係合部は各ガイドレール１６３の前記凹部において、ガイドレール１６３に係止されている。詳しくは、ガイドレール１６３内において、出入口遮蔽部材１６２の前記幅方向の端縁部は、該ガイドレール１６３に対する鉛直方向の移動を許容されている一方で、鉛直方向以外の移動を規制されるようにして、ガイドレール１６３に係合されており、互いに容易には離間しないようになっている。
【００９５】
このような構成を用いた場合、通路４の両端を遮蔽する一対の両端遮蔽部１６０が設けられているので、通路４内の空間と通路４の外部空間とが確実に仕切られることとなる。従って、ラック３，３３内を冷却した後の熱を帯びた空気（温熱空気）が、空気調和装置６へ向けて流動せずに通路４内に流入するようなことが防止される。また、通路４内の空間と空気調和装置６の設置空間との間も確実に仕切られることとなるので、通路４内の冷却用空気が、ラック３，３３の機器を冷却せずに空気調和装置６に還流されるようなことが防止される。
【００９６】
すなわち、通路４内の冷却用空気を確実にラック３，３３内へ送ることができるとともに、ラック３，３３から排出された温熱空気が空気調和装置６へ向けて確実に流動する。従って、空気調和装置６からの冷気量を最小限に抑えることができるため、空気調和装置６の冷却効率が向上する。
【００９７】
また、出入口遮蔽部材１６２が、通路４の両端を開閉可能に遮蔽しているので、通路４内において、ラック３，３３や内部の機器等のメンテナンスを行う際は、出入口遮蔽部材１６２を開閉することで、容易に通路４内に出入りすることができる。
【００９８】
また、出入口遮蔽部材１６２の前記幅方向の端縁部はガイドレール１６３内に収容された状態で該ガイドレール１６３と係合しているため、該端縁部近傍において、通路４内の冷却用空気が通路４の外部空間に漏れ出るようなことが抑制される。従って、通路４内の空間の前記外部空間に対する気密性が充分に確保される。また、出入口遮蔽部材１６２の開閉時に前記端縁部がガイドレール１６３から離間することはなく、通路４内の冷却用空気の余分な漏れ等が抑制される。また、空気調和装置６の動作によって通路４の内圧が変化しても、前記端縁部がガイドレール１６３から離間しにくく、通路４の密閉状態が好適に維持される。
【００９９】
また、両端遮蔽部１６０の梁部１６１が、通路４の幅方向に延在するように遮蔽体１１，２１，３１，４１の遮蔽板１１３，１２３，１３３，１４３の端部に配設されているので、地震等によって通路４を挟んで対向するラック３，３３が夫々異なる方向に変位しても、梁部１６１とラック３，３３との相対移動が許容されて、梁部１６１やラック３，３３の破損が防止される。
【０１００】
また、両端遮蔽部１６０の出入口遮蔽部材１６２が、柔軟性を有しているので、前述のような変位に対して変形でき、該出入口遮蔽部材１６２の破損が防止される。
また、ラック３，３３の変位中、出入口遮蔽部材１６２の前記幅方向の端縁部はガイドレール１６３に係止されているので、出入口遮蔽部材１６２のバタつきは抑えられ、出入口遮蔽部材１６２とラック３，３３との間には間隙が生じにくくされている。
【０１０１】
また、ガイドレール１６３の上端部と梁部１６１の本体１６１ａとの間に、間隙が設けられているので、例えば、図１１（ｂ）に示すように、遮蔽板１１３，１２３，１３３，１４３がラック３，３３に対して通路４の長手方向に沿って移動するような変位が生じた場合でも、梁部１６１、出入口遮蔽部材１６２及びガイドレール１６３の破損が防止される。詳しくは、梁部１６１とガイドレール１６３とは互いに離間されていることから、応力を及ぼし合うことがなく、また、図中Ａ部に示すように、前述の変位に対応して出入口遮蔽部材１６２が変形するようになっている。
【０１０２】
尚、ラック３，３３や梁部１６１に応力が作用する程度に変位が大きくなった場合に、ガイドレール１６３がラック３，３３の側面から外れるように、ガイドレール１６３を前記側面に着脱可能に配設することとしてもよい。このような取り付け手段としては、例えば、面ファスナーや両面テープ等を挙げることができる。
【０１０３】
また、出入口遮蔽部材１６２として、布等の柔軟なカーテン状の部材を用いるとともに、この出入口遮蔽部材１６２を前記幅方向に開閉させることとしても構わない。この場合、梁部１６１としては、カーテンレール等を用いることができる。また、このような構成の場合、前述の第５の実施形態等に比較的容易に用いることができる。すなわち、遮蔽体５１の第１、第２遮蔽板１５４，１５５の端部に、これらの端部に対応する長さの梁部１６１を夫々配設し、これらの梁部１６１に対応するように出入口遮蔽部材１６２を夫々配設することで、両端遮蔽部１６０を比較的簡便に構成できる。
【０１０４】
尚、出入口遮蔽部材１６２として、このようにカーテン状の部材を用いる場合は、出入口遮蔽部材１６２の前記幅方向の寸法を比較的大きく設定し、出入口遮蔽部材１６２の前記幅方向の端縁部がラック３，３３の側面に充分に覆い被さるようにすることで、より密閉空間が確保される。すなわち、通路４内の空間の前記外部空間に対する気密性が確実に増すことになり、冷却用空気の余分な漏れ等が抑制されるため、より好ましい。また、複数の出入口遮蔽部材１６２を用いる場合は、これらの出入口遮蔽部材１６２の隣接する前記端縁部同士が互いに覆い被さるように配設することが好ましい。
【０１０５】
また、案内部材として、前述のガイドレール１６３の代わりに、断面クランク状をなし、出入口遮蔽部材１６２の前記幅方向の端縁部を係止せずに収容可能なサイドレール等を用いても構わない。また、出入口遮蔽部材１６２の前記幅方向の端縁部を、ラック３，３３の側面に、着脱可能なテープ部材やピン留め等を用いて直接取り付けることとしても構わない。
【符号の説明】
【０１０６】
２  二重床（床）
３，３３  ラック（機器収容用ラック）
３ａ，３３ａ  上面
３ｂ，３３ｂ  前面
４  通路
５  内部空間
６  空気調和装置
８  長孔（孔）
１１，２１，３１，４１，５１  遮蔽体
１００，２００  電算機室用空調システム
１１１，１２１  ヒンジ部材
１１２，１３２  ローラー（支持部材）
１１３，１２３，１３３，１４３  遮蔽板（遮蔽材）
１４１  ランナー（第１支持部材）
１４１ａ  軸部
１４２  ローラー（第２支持部材）
１５１  第１ヒンジ軸（第１ヒンジ部材）
１５２  第２ヒンジ軸（第２ヒンジ部材）
１５３  第３ヒンジ軸（第３ヒンジ部材）
１５４  第１遮蔽板（第１遮蔽材）
１５５  第２遮蔽板（第２遮蔽材）
１６０  両端遮蔽部
１６１  梁部
１６２  出入口遮蔽部材
１６３  ガイドレール（案内部材）
【図１】
2010044741.tif 000003
【図２】
2010044741.tif 000004
【図３】
2010044741.tif 000005
【図４】
2010044741.tif 000006
【図５】
2010044741.tif 000007
【図６】
2010044741.tif 000008
【図７】
2010044741.tif 000009
【図８】
2010044741.tif 000010
【図９】
2010044741.tif 000011
【図１０】
2010044741.tif 000012
【図１１】
2010044741.tif 000013